(57)【特許請求の範囲】
【請求項１】
筐体に取り付けられる筐体側ベース部と、扉に取り付けられてリンク収容凹部を有する扉側ベース部と、該両ベース部間を揺動可能に連結する４つのリンクを備えたヒンジ装置において、
第１リンクは一端部が筐体側ベース部に枢軸を介して回動可能に連結され、他端部が第２リンクの一端部の外側又は内側に枢軸を介して回動可能に連結され、
第２リンクは第３リンクの内側に配設されて枢軸を介して回動可能に連結され、他端部が扉側ベース部のリンク収容凹部内側に枢軸を介して回動可能に連結され、
第３リンクは一端部が筐体側ベース部に枢軸を介して回動可能に連結され、他端部が第４リンクの一端部に枢軸を介して回動可能に連結され、
第４リンクは他端部が扉側ベース部のリンク収容凹部内側に枢軸を介して回動可能に連結され、
扉は筐体に対して概ね１８０度の開度に開扉可能であって、
扉を閉めた場合に、扉側ベース部のリンク収容凹部には前記４つのリンクがほぼ収納可能であり、
前記第４リンクには、前記他端部側に配設した第１押圧部材と、該第１押圧部材を常時付勢する付勢手段とを備え、
一方、前記第４リンクの他端部を枢軸を介して回動可能に連結している扉側ベース部のリンク収容凹部内側には、該枢軸を挿通させた軸受部があり、該軸受部の外周は、第４リンクが該枢軸を介して回動する際に前記第１押圧部材が当接すると共に、該軸受部の孔中心を中心とした円弧状の当接面と、該円弧状当接面よりも引っ込んだ凹部であって、扉を完全に閉じる手前位置において、前記第１押圧部材を落し込ませることができると共に、扉が閉じた状態において係合する第１凹部と、前記円弧状当接面よりも引っ込んだ凹部であって、扉が概ね１８０度開いた状態において係合する第２凹部とを具備し、
前記第４リンクには、該第４リンクの前記一端部に設けた枢軸を挿通させ、該枢軸の外径よりも長い長軸径を有した長孔を有する第２押圧部材を更に具備し、前記付勢手段は第１、第２の押圧部材を互いに離反させる方向に常時付勢すると共に、前記長軸はこの付勢方向に沿っており、
一方、扉側ベース部のリンク収容凹部内側には、扉が完全に閉じる幾分か前の位置において前記第２押圧部材と係合できる係合部を設けており、該係合部と第２押圧部材との係合部分は、該係合部と第２押圧部材との係合状態において、扉に対してその閉位置方向に所定以上の力を付与すれば、第２押圧部材の長孔内の枢軸に対する該第２押圧部材の可動範囲内の移動によって係合を離脱できる寸法形状である
ことを特徴とするヒンジ装置。
【請求項２】
筐体に取り付けられる筐体側ベース部と、扉に取り付けられてリンク収容凹部を有する扉側ベース部と、該両ベース部間を揺動可能に連結する４つのリンクを備えたヒンジ装置において、
第１リンクは一端部が筐体側ベース部に枢軸を介して回動可能に連結され、他端部が第２リンクの一端部の外側又は内側に枢軸を介して回動可能に連結され、
第２リンクは第３リンクの内側に配設されて枢軸を介して回動可能に連結され、他端部が扉側ベース部のリンク収容凹部内側に枢軸を介して回動可能に連結され、
第３リンクは一端部が筐体側ベース部に枢軸を介して回動可能に連結され、他端部が第４リンクの一端部に枢軸を介して回動可能に連結され、
第４リンクは他端部が扉側ベース部のリンク収容凹部内側に枢軸を介して回動可能に連結され、
扉は筐体に対して概ね１８０度の開度に開扉可能であって、
扉を閉めた場合に、扉側ベース部のリンク収容凹部には前記４つのリンクがほぼ収納可能であり、
前記第４リンクには、該第４リンクの前記一端部に設けた枢軸を挿通させ、該枢軸の外径よりも長い長軸径を有した長孔を有する第２押圧部材と、該第２押圧部材を常時付勢する付勢手段とを具備し、前記長軸は該付勢手段の付勢方向に沿っており、
一方、扉側ベース部のリンク収容凹部内側には、扉が完全に閉じる幾分か前の位置において、前記第２押圧部材と係合できる係合部を設けており、該係合部と第２押圧部材との係合部分は、該係合部と第２押圧部材との係合状態において、扉に対してその閉位置方向に所定以上の力を付与すれば、第２押圧部材の長孔内の枢軸に対する該第２押圧部材の可動範囲内の移動によって係合を離脱できる寸法形状である
ことを特徴とするヒンジ装置。
【請求項３】
前記係合部は山形状凸部であって、一方の斜面は急な傾斜面であり、その反対側斜面は、扉を開く場合の第２押圧部の移動にとって抵抗が小さくなる緩い傾斜面である請求項１又は２記載のヒンジ装置。
【発明の詳細な説明】
【０００１】
【発明の属する技術分野】
本発明は、家具等における扉と筐体とを回動可能に連結するヒンジ装置に関する。
【０００２】
【従来の技術】
家具の扉を開閉させるヒンジ装置について、例えば、特開平５−１３３１５４号公報には、家具本体の側板内側から家具内部空間に本体側ヒンジを突出させないような工夫がなされている。これは家具の収納空間を有効に利用するためである。
【０００３】
【発明が解決しようとする課題】
然しながら、扉を閉じた状態で、第１リンクと第２リンクは依然として家具内の収納空間に大きく突出しており、家具の収納空間を有効に利用すると言う観点からは未だ不充分と言わざるを得ない。また、扉を開放した状態において、該扉がふらつかないように保持することは高品質の家具等として望まれ、更には、扉を閉じた状態において、該扉を閉じる操作とは別の操作をし、該扉が不用意に開かないように閉じた状態に保持させるものは従来から有るが、家具を使用する人が、単に扉を閉じる操作だけを行えば、その結果として扉を閉じた状態に保持できれば簡便で望ましい。また、扉を閉じようとする場合に、扉が完全に閉じる少し手前の位置まで閉じた場合に、残りの閉じ操作を行わなくても、自動的に引き込んで閉じることができれば簡便で好ましい。また、扉を閉めた場合の筐体との衝突音の発生を低減させることができれば好ましい。
依って、本発明は、家具等の収納空間をより有効に利用できるヒンジ装置の提供を目的とする。
また、扉を開いた状態や閉じた状態において、扉のふらつきを防止することを目的とする。
また、人が扉を完全に閉めきらなくても、残りは自動的に引き込んで閉められるヒンジ装置の提供を目的とする。
また、扉を閉じた際に生ずる音を低減させることのできるヒンジ装置の提供を目的とする。
【０００４】
【課題を解決するための手段】
上記目的に鑑みて請求項１では、筐体に取り付けられる筐体側ベース部と、扉に取り付けられてリンク収容凹部を有する扉側ベース部と、該両ベース部間を揺動可能に連結する４つのリンクを備えたヒンジ装置において、第１リンクは一端部が筐体側ベース部に枢軸を介して回動可能に連結され、他端部が第２リンクの一端部の外側又は内側に枢軸を介して回動可能に連結され、第２リンクは第３リンクの内側に配設されて枢軸を介して回動可能に連結され、他端部が扉側ベース部のリンク収容凹部内側に枢軸を介して回動可能に連結され、第３リンクは一端部が筐体側ベース部に枢軸を介して回動可能に連結され、他端部が第４リンクの一端部に枢軸を介して回動可能に連結され、第４リンクは他端部が扉側ベース部のリンク収容凹部内側に枢軸を介して回動可能に連結され、扉は筐体に対して概ね１８０度の開度に開扉可能であって、扉を閉めた場合に、扉側ベース部のリンク収容凹部には前記４つのリンクがほぼ収納可能であり、前記第４リンクには、前記他端部側に配設した第１押圧部材と、該第１押圧部材を常時付勢する付勢手段とを備え、一方、前記第４リンクの他端部を枢軸を介して回動可能に連結している扉側ベース部のリンク収容凹部内側には、該枢軸を挿通させた軸受部があり、該軸受部の外周は、第４リンクが該枢軸を介して回動する際に前記第１押圧部材が当接すると共に、該軸受部の孔中心を中心とした円弧状の当接面と、該円弧状当接面よりも引っ込んだ凹部であって、扉を完全に閉じる手前位置において、前記第１押圧部材を落し込ませることができると共に、扉が閉じた状態において係合する第１凹部と、前記円弧状当接面よりも引っ込んだ凹部であって、扉が概ね１８０度開いた状態において係合する第２凹部とを具備し、前記第４リンクには、該第４リンクの前記一端部に設けた枢軸を挿通させ、該枢軸の外径よりも長い長軸径を有した長孔を有する第２押圧部材を更に具備し、前記付勢手段は第１、第２の押圧部材を互いに離反させる方向に常時付勢すると共に、前記長軸はこの付勢方向に沿っており、一方、扉側ベース部のリンク収容凹部内側には、扉が完全に閉じる幾分か前の位置において前記第２押圧部材と係合できる係合部を設けており、該係合部と第２押圧部材との係合部分は、該係合部と第２押圧部材との係合状態において、扉に対してその閉位置方向に所定以上の力を付与すれば、第２押圧部材の長孔内の枢軸に対する該第２押圧部材の可動範囲内の移動によって係合を離脱できる寸法形状であることを特徴とするヒンジ装置を提供する。
【０００５】
リンク収容凹部を有する扉側ベース部は、扉自体に直接リンク収容凹部を設けてもよく、また、別部品としてのブラケット部材にリンク収容凹部を設け、これを扉に装着してもよい。後者の場合は、ブラケット部材を扉に埋め込むことが収納空間をより有効に利用できることに繋がる。また、筐体側ベース部は、筐体自体でもよく、また、別部品として形成して、筐体に装着してもよい。後者の場合、筐体内面に対して埋め込むか、或いは可及的に薄く形成することが収納空間をより有効利用できることに繋がる。以上のことは、他の請求項においても同様である。
扉側ベース部のリンク収容凹部には、扉を閉めた場合に第１から第４までの４つのリンクがほぼ収納可能であるため、筐体の収納空間を可及的に有効利用できる。また、扉は概ね１８０度開くため、収容空間への物の出し入れが容易となる。
更には、第４リンクには、前記他端部側に配設した第１押圧部材と、該第１押圧部材を常時付勢する付勢手段とを備え、一方、前記第４リンクの他端部を枢軸を介して回動可能に連結している扉側ベース部のリンク収容凹部内側には、該枢軸を挿通させた軸受部があり、該軸受部の外周は、第４リンクが該枢軸を介して回動する際に前記第１押圧部材が当接する当接面と、扉を完全に閉じる手前位置において、前記第１押圧部材を落し込ませることができると共に、扉が閉じた状態において係合する第１凹部と、概ね１８０度開いた状態において係合する第２凹部とを具備するため、扉を概ね１８０度開いた状態では、付勢手段に押圧された第１押圧部材が軸受部外周の第２凹部に係合するため、全開状態の扉が不用意にふらつくことが防止できる。また、扉を完全に閉じる手前位置で、付勢手段に押圧された第１押圧部材が軸受部外周の第１凹部に落ち込んで係合するため、人が扉を完全に閉じるまで操作することなく、閉位置に近い位置まで閉じることにより、後はこの機構によって自動的に引き込まれて閉じられ、簡便であると共に、係合によって閉じた状態の扉が不用意に開く方向へ開こうとふらつくことが防止できる。
【０００６】
更には、扉側ベース部のリンク収容凹部内側には、扉が完全に閉じる幾分か前の位置において、第２押圧部材と係合できる係合部を設けているため、付勢手段によって付勢されている第２押圧部材が係合部に係合して扉の閉じる勢いが止められる。しかし、扉を更に閉じる方向に所定以上の力を付与すれば、係合部と第２押圧部材との係合は解除できる。即ち、第２押圧部材がその長孔の存在により、付勢手段の付勢力に抗して係合部から離隔する方向に後退して係合が解除される。従って、扉を残りの角度回動させて完全に閉じることができ、この場合の閉じる量は小さいため、扉と筐体との衝突による音は必然的に小さくなる。
【０００７】
請求項２では、筐体に取り付けられる筐体側ベース部と、扉に取り付けられてリンク収容凹部を有する扉側ベース部と、該両ベース部間を揺動可能に連結する４つのリンクを備えたヒンジ装置において、第１リンクは一端部が筐体側ベース部に枢軸を介して回動可能に連結され、他端部が第２リンクの一端部の外側又は内側に枢軸を介して回動可能に連結され、第２リンクは第３リンクの内側に配設されて枢軸を介して回動可能に連結され、他端部が扉側ベース部のリンク収容凹部内側に枢軸を介して回動可能に連結され、第３リンクは一端部が筐体側ベース部に枢軸を介して回動可能に連結され、他端部が第４リンクの一端部に枢軸を介して回動可能に連結され、第４リンクは他端部が扉側ベース部のリンク収容凹部内側に枢軸を介して回動可能に連結され、扉は筐体に対して概ね１８０度の開度に開扉可能であって、扉を閉めた場合に、扉側ベース部のリンク収容凹部には前記４つのリンクがほぼ収納可能であり、前記第４リンクには、該第４リンクの前記一端部に設けた枢軸を挿通させ、該枢軸の外径よりも長い長軸径を有した長孔を有する第２押圧部材と、該第２押圧部材を常時付勢する付勢手段とを具備し、前記長軸は該付勢手段の付勢方向に沿っており、一方、扉側ベース部のリンク収容凹部内側には、扉が完全に閉じる幾分か前の位置において、前記第２押圧部材と係合できる係合部を設けており、該係合部と第２押圧部材との係合部分は、該係合部と第２押圧部材との係合状態において、扉に対してその閉位置方向に所定以上の力を付与すれば、第２押圧部材の長孔内の枢軸に対する該第２押圧部材の可動範囲内の移動によって係合を離脱できる寸法形状であることを特徴とするヒンジ装置を提供する。
【０００８】
扉側ベース部のリンク収容凹部には、扉を閉めた場合に第１から第４までの４つのリンクがほぼ収納可能であるため、筐体の収納空間を可及的に有効利用できる。また、扉は概ね１８０度開くため、収容空間への物の出し入れが容易となる。
更には、扉側ベース部のリンク収容凹部内側には、扉が完全に閉じる幾分か前の位置において、第２押圧部材と係合できる係合部を設けているため、付勢手段によって付勢されている第２押圧部材が係合部に係合して扉の閉じる勢いを低下させられる。しかし、扉を更に閉じる方向に所定以上の力を付与すれば、係合部と第２押圧部材との係合は解除できる。即ち、第２押圧部材がその長孔の存在により、付勢手段の付勢力に抗して係合部から離隔する方向に後退して係合が解除される。従って、扉を残りの角度回動させて完全に閉じることができ、この場合の閉じる量は小さいため、扉と筐体との衝突による音は必然的に小さくなる。
【０００９】
請求項３では、前記係合部は山形状凸部であって、一方の斜面は急な傾斜面であり、その反対側斜面は、扉を開く場合の第２押圧部の移動にとって抵抗が小さくなる緩い傾斜面である請求項１又は２記載のヒンジ装置を提供する。
請求項１又は２の作用効果に加えて、扉が閉じる方向では、係合部の急傾斜面によって一時的に扉の閉じ動作が止められ、所定以上の力によって扉を完全に閉じ、その後、再び開く方向に回動させる場合には、係合部の緩やかな傾斜面と当接するので回動抵抗が小さく、扉の開動作に支障を来さない。
【００１０】
【発明の実施の形態】
以下、本発明を添付図面に示す実施形態例に基づき、更に詳細に説明する。
図１は本発明に係るヒンジ装置の分解斜視図であり、図２は家具等の筐体ＫＴと扉Ｄ１に適用した場合の上面視による部分断面図であり、作動をも示している。図３〜図６は、本発明の第４リンクに設けている機構と、その作動を説明する部分破断図である。図２に示す扉Ｄ２は隣接した家具のものである。
【００１１】
主として図１を参照しつつ、ヒンジ装置の各構成部材と互いの連結につき説明する。家具等の筐体に固定する筐体側ベース部ＫＢは、断面がコ字状の下側部材ＫＢ１の内側に、断面がコ字状の上側部材ＫＢ２を図示の方向で被せ、夫々の一端部に設けた孔に、枢軸としての（以下の各ピンについても同様であり、記載を省略する）ピンＰ０を挿通させる。また、３本のネジＮ１によって筐体に固定しつつ、上下部材の一体化を強固にしている。更に、他のネジＮ２は筐体ＫＴの側壁の内側面をなす内側板部材ＫＴＡ（図２）に対して固定された上側部材に対する下側部材の高さ調節に使用される。また、他のネジＮ２による上側部材と下側部材の調節された位置関係を、３本のネジＮ１の内、図２でいえば、最も右側に位置しているネジＮ１によって固定する。
【００１２】
上記筐体側ベース部ＫＢの下側部材の他端部には、孔Ｐ１ＡＨが設けられており、この端部領域には上側部材の他端部は至っていない。そこで、この下側部材他端部の内側に、断面がコの字状の第１リンクＬ１の一端部Ｌ１Ａを位置させ、孔を前記孔Ｐ１ＡＨに合致させた状態でピンＰ１Ａを挿通させる。また、第１リンクの他端部Ｌ１Ｂの内側には第２リンクＬ２の一端部Ｌ２Ａを位置させ、夫々に設けている孔にピンＰ２Ａを挿通させる。また、第２リンクの他端部Ｌ２Ｂは、後述するが、図示の如き収納空間ＳＰを設けた扉側ベース部ＤＢの開放側端部（図１の左端部）の内側に位置させ、両部材に設けた孔にピンＰ２Ｂを挿通させる。
【００１３】
また、第２リンクＬ２は一端部と他端部との中間部にも孔を設けており、該第２リンクを図示の如き形状の第３リンクＬ３の内側に位置させ、該第３リンクの中央部に設けている孔に前記第２リンクの中間部の孔を合致させてピンＰ３Ｃを挿通させる。また、筐体側ベース部の下側部材ＫＢ１の他端部側の前記孔Ｐ１ＡＨ近くに他の孔Ｐ３ＡＨが設けられており、第３リンクＬ３の一端部Ｌ３Ａが、この下側部材他端部の外側に位置して、第３リンク一端部の孔を前記孔Ｐ３ＡＨに合致させた状態でピンＰ３Ａを挿通させる。また、第３リンクは、第１リンクをもその内側に位置させることのできるような内側幅寸法を有している。更には、第１リンクと第２リンクが第３リンク内に出入り可能なように、上側部に大きな開口部Ｌ３Ｋが設けられている。下側部は全面的に開放されている。
【００１４】
第３リンクの他端部Ｌ３Ｂの内側には、断面コ字状の第４リンクＬ４の一端部Ｌ４Ａが位置し、夫々に設けられている孔にピンＰ３Ｂが挿通されている。第４リンクの他端部Ｌ４Ｂは前述の扉側ベース部ＤＢの内側に位置させ、該他端部の孔と、扉側ベース部の長さ方向中央部（図１の左右方向中央部）に設けられている軸受部ＪＢ（図３）とこれに隣接した左右端部の軸受部分ＪＢ’とに貫通形成した孔とにピンＰ４Ｂを挿通させる。
【００１５】
更には，前記第４リンクには、第１押圧部材Ｍ１と、付勢手段の一例としてのコイルスプリングＲと、第２押圧部材Ｍ２とを、該第４リンクと共に回動するように設けている。即ち、第２押圧部材Ｍ２には貫通孔Ｐ３ＢＨが設けられており，これを第４リンク内に配設し、第３リンクと第４リンクと共に、前記ピンＰ３Ｂを挿通させている。この貫通孔は、コイルスプリングＲによって付勢される方向に長い長孔であり、この長軸長さはピンＰ３Ｂの直径よりも所定以上長い。
【００１６】
第４リンクの他端部側には第１押圧部材Ｍ１を配設し、これら第１、第２の押圧部材間にコイルスプリングＲを配設し、互いにこれらの部材が離れる方向に常時付勢する。この場合、第１押圧部材Ｍ１の先部は既述の扉側ベース部の軸受部ＪＢに当接しているため、コイルスプリングに付勢されてもその位置を保持できる。これらの押圧部材の作動説明は図３から図６によって後述する。
【００１７】
第１リンクの両側板部に設けた切欠部Ｋ３Ａ，Ｋ３Ｃの前者は、扉Ｄ１（ヒンジ装置）を完全に開いた場合に、第１リンクがピンＰ１Ａに当接して開動作を停止させるためであり、逆にいうと、完全に開く途中において第１リンクがピンＰ１Ａに干渉することを防止するためである。後者Ｋ３Ｃは、扉Ｄ１（ヒンジ装置）を完全に閉じる前に、第１リンクがピンＰ３Ｃに干渉することを防止するためである。更には、第３リンクＬ３の両側板部の下縁中央部の切欠部ＫＪＢ’は、扉Ｄ１を完全に閉じる前に、第３リンクが扉側ベース部ＤＢの左右端部の軸受部分ＪＢ’に干渉することを防止するためである。また、一端部Ｌ３Ａ近くの切欠部Ｋ２Ｂは、扉Ｄ１を完全に閉じる前に、第３リンクがピンＰ２Ｂに干渉することを防止するためである。
【００１８】
上記ヒンジ装置を筐体ＫＴと扉Ｄ１との間に取り付け、扉を完全に閉じた状態を図２に示しており、更に完全に開いた状態を２点鎖線で示している。まず、筐体側ベース部ＫＢは、筐体側壁の外側面を形成する外側板部材ＫＴＢと、内側板部材ＫＴＡの形成する内側面との間に埋設すべく、即ち、内側面から収納空間内に突出することが防止されるように取り付けている。
【００１９】
一方、扉Ｄ１には扉側ベース部ＤＢが取り付けられている。扉側ベース部は、扉の外側面を形成する外側板部材Ｄ１Ｂと、内側板部材Ｄ１Ａの形成する内側面との間に埋設すべく、即ち、内側面から収納空間内に突出することが防止されるように取り付けられている。具体的には、扉側ベース部を内側板部材Ｄ１Ａに設けた穴部に挿入し、そのフランジ部ＦＲを穴部の周縁部に乗せた状態でネジ止め固定している。
【００２０】
扉Ｄ１を完全に閉じた場合、図２に示すように第１〜第４のリンクは折り畳まれ、扉側ベース部の収納空間ＳＰ内に収まっている。この例のヒンジ装置では、扉側ベース部のフランジ部外表面に対して、ぎりぎり一杯に収まっており、厳密に表現すれば、扉の内側板部材Ｄ１Ａの成す扉の内側面より、フランジ部の厚さ分だけ筐体収納空間側に出ているとも表現できるが、実質的には、収納空間に突出していないといえる。また、大きな第３リンクの内側に、他の第１、第２、第４の各リンクが部分的にはみ出してはいるが、殆ど収納された状態となっている。また、この場合、第２リンクの幅は第４リンクの内側に収まる寸法であるため、第２リンクの一部分が第４リンクの内側に入っており、干渉しない。
【００２１】
扉の一端側が筐体の縁部（当接用のゴム部材等を含む意味）に当った状態、即ち、完全に閉じた状態では、第１リンクＬ１は切欠部Ｋ３ＣにおいてピンＰ３Ｃに近接している。第３リンクＬ３は切欠部Ｋ２ＢにおいてピンＰ２Ｂに近接していると共に、切欠部ＫＪＢ’において扉側ベース部ＤＢの左右端部の軸受部分ＪＢ’に近接している。また、第３リンクの他端部Ｌ３Ｂ寄りの側板部下縁が、扉側ベース部ＤＢの底面に近接している。更には、第４リンクＬ４が扉側ベース部ＤＢの底面に近接している。
【００２２】
扉が完全に開いた状態（２点鎖線の状態）は、図示の如く概ね１８０度の開度といえる。この状態に移動した主たる部材には、移動前と同じ記号にダッシュ記号を付加している。この状態では、第１リンクＬ１’が切欠部（Ｋ３Ａ）においてピンＰ３Ａに当接している。また、第３リンクＬ３’がピンＰ２Ｂ’に当接している。この２箇所の度当りによって概ね１８０度の開度に止め、それ以上に開かず、隣接した筐体の扉Ｄ２と干渉することを防止している。
【００２３】
この図２に示されているように平面視において、本発明に係るヒンジ装置を構成する各部材は、筐体の内側板部材ＫＴＡの成す内側面の前方への延長ラインよりも内側（収納空間側）には突出していない。従って、筐体の開口幅を狭めることなく利用できて、筐体内部の収納空間から物を出し入れする作業が円滑に行える。
【００２４】
以上説明した本発明に係るヒンジ装置では、第２リンクＬ２の一端部Ｌ２Ａが第１リンクＬ１の他端部Ｌ１Ｂの内側に配設された機構であるが、逆に外側に位置させ、その他のリンクとの関係は同様であっても、図２で説明した各作用効果を同様に奏する。但し、前述した第２リンクが第１リンクの内側に配設された場合の、第２リンクの幅は第４リンクの内側に収まる寸法であるため、閉じた場合に第２リンクの一部分が第４リンクの内側に入っており、干渉しないとの説明は変更となる。即ち、第４リンクが第２リンクの内側に位置するように第２リンクの幅を形成してもよく、また、同じ程度の幅にして、何れか一方のリンクの干渉する部位を削った形態にしてもよい等に変更となる。
【００２５】
次に、第１リンクと第２リンクの配設関係が、上記した内側、外側の何れの場合であっても、以下の図３から図６を参照した機構の作動は成立する。
図３は扉が閉じた状態、即ち、図２において扉を実線で示した状態の場合の、第４リンク内に配設された機構と、扉側ベース部の一部を破断して示したものである。また図４は扉を完全に開いた状態の、図３に対応する図である。ピンＰ４Ｂが挿通している軸受部ＪＢの外周面ＣＳは、ピン受用の孔の中心位置を中心とした円の一部である（円柱表面の一部である）。
【００２６】
扉が完全に開いた状態における第４リンク内の第１押圧部材Ｍ１の位置に対応させて、円弧状の軸受部外周面に第２凹部Ｋ２を設けている。また、扉が閉じた状態に対応して、円弧状の軸受部外周面に第１凹部Ｋ１を設けている。また、第１押圧部材Ｍ１の先部は、概ね楕円状や放物線状等のように滑らかな先細状に形成されている。
【００２７】
このため、扉が完全に閉まる前の、扉の開度で言って２５度程度前の位置まで閉めれば、その後は、コイルスプリングＲに付勢されている第１押圧部材Ｍ１が第１凹部Ｋ１内に自然に滑り込み（落ち込み）、これにより扉は自動的に引き込まれて完全に閉じることができる。このことは、人の手で最後まで閉めきる必要が無くて簡便であると共に、強く閉めすぎた場合に生じる大きな音を防止し、静かに閉めることができるという効果を生ずる。また、第１凹部と第１押圧部材との係合によって第４リンクの動きが規制されるため、閉じられた扉が振動等によって不用意に開放されたりするふらつきが防止される。
【００２８】
扉を開く場合は、完全に開ききる少し前に（１８０度近くになって）、やはり、第１押圧部材Ｍ１が第２凹部Ｋ２に滑り込み始め、その後自動的に滑り込み、これによって扉が完全に開いた状態になる。そして、第２凹部と第１押圧部材との係合によって第４リンクの動きが規制されるため、完全に開かれた扉が、振動等によって不用意に閉じる方向に移動するふらつきが防止される。
【００２９】
図３と図４を参照しつつ説明した上記事項は、図３に図示しているように、補助板部材ＨＢを取り外していても、また更に、第２押圧部材Ｍ２が無くても、図５や図６のように装着していても同様である。補助板部材や第２押圧部材Ｍ２を装着している場合は後述のように、扉が完全に閉まる方向に自動引き込みされている途中において、一旦停止させられることが異なる。
【００３０】
補助板部材ＨＢの裏側所定位置には、扉側ベース部ＤＢに設けた切欠部ＴＡ’と係合、離脱の可能な係合部ＴＡを設けており、補助板部材を着脱可能に構成している。また、前面の所定位置には係合部としての山状の凸部ＴＢを設けており、扉側ベース部に装着された状態において、その収納空間ＳＰの開放側を上、底面側を下とすれば、補助板部材は上下方向に延伸するように装着されていることになる。凸部の上側面ＫＫは、補助板部材の面に対して直交する方向に近いという意味で、急な傾斜角度に形成されており、その下側の面ＹＫは緩い傾斜角度に形成されている。また、凸部の高さ寸法は、既述の第２押圧部材Ｍ２に設けた貫通孔Ｐ３ＢＨの長軸長さ（長軸径）から、ピンＰ３Ｂの直径を差し引いた長さ以下である。
【００３１】
図５を参照すれば、補助板部材を装着した状態では、扉を閉じようとして完全に閉じる前の、例えば２５度程度手前の位置において、既述の如き機構によって扉は自動的に閉まり始める。しかし、完全に閉まる少し前、例えば、扉の開度角度で言って５度程度手前位置において、第２押圧部材Ｍ２が凸部の急傾斜面ＫＫに引っ掛り、扉の動きは一旦停止させられる。その後、所定以上の力で扉を押せば、第２押圧部材がコイルスプリングＲの付勢力に抗して後退し、凸部との係合が外れる。これによって扉を完全に閉じることができる。
【００３２】
また、第２押圧部材の先部は、所定の力によって凸部の急傾斜面との係合を離脱可能なように、概ね楕円状や放物線状等のように滑らかな先細状に形成されている。この凸部との係合によって扉の動きを一旦停止させると、扉が筐体に強く当って大きな音の発生することが防止できる。この後、該凸部を乗り越えるために、所定の力で押して閉め切る場合には、扉の動きの角度が小さい（５度程度）ため、大きな衝突音は発生しない。
【００３３】
図６を参照すれば、閉じた状態の扉を開扉させようとする場合は、第２押圧部材Ｍ２は凸部の下側に位置しており、この場合、緩い傾斜面ＹＫに接触しているが、傾斜角度が緩いため、大きな抵抗を生むことなく、第４リンクは凸部ＴＢを乗り越えられる。従って、扉の開放操作に不都合は生じない。しかし、図３に示すように、この機構作用を使用するか否かは使用者の好みに応じ、補助板部材を取り外した状態で開閉させることもできる。
【００３４】
更には、以上の説明では、軸受部ＪＢの表面ＣＳが円弧状であって、これの２箇所に凹部Ｋ１，Ｋ２を設けているが、これらを一切設けず、第４リンクは単にピンＰ４Ｂを枢軸として回動可能であって、該第４リンクには第２押圧部材Ｍ２を付勢手段としてのコイルスプリングＲが付勢するだけの機構を有しており、一方、扉側ベース部ＤＢの内側には、既述の凸部ＴＢを有するヒンジ装置とすることもできる。
【００３５】
この場合は、人が扉を閉めようとした場合に、完全に閉じる少し前に、第２押圧部材と凸部とが係合して、少なくとも扉の閉じる勢いを低下させる。閉じる勢いが程々であれば、扉の勢いを一時的に停止させ、その後更に押せば、完全に閉じる。何れにしても、扉が筐体の縁部等に当って大きな音が発生することを防止できる効果がある。凸部ＴＢは、着脱自在な補助板部材に形成するのではなく、扉側ベース部ＤＢの内側に一体的に突出形成していてもよい。
【００３６】
また、以上説明したヒンジ装置は、扉に対しては、通常、上下２箇所に設けるが、この場合、左右の扉間の隙間が、上下位置において不均一の場合は、既述の通り、他のネジＮ２によって筐体側ベース部の下側部材の位置調節によって隙間調節が可能である。更に、以上の説明では、家具等はスチール製等の板金製を前提に説明しているが、木製家具等であっても全く同様であり、制限は無い。
【００３７】
【発明の効果】
以上の説明から明らかなように本発明によれば、家具等の収納空間をより有効に利用できるヒンジ装置が提供可能となる。
【図面の簡単な説明】
【図１】  図１は本発明に係るヒンジ装置の分解斜視図である。
【図２】  図２は本発明に係るヒンジ装置を組み込んだ家具の作動説明図である。
【図３】  図３は部分破断による一部機構の作動説明図である。
【図４】  図４は図３と異なる状態での、部分破断による作動説明図である。
【図５】  図５は部分破断による他の一部機構の作動説明図である。
【図６】  図６は図５と異なる状態での、部分破断による作動説明図である。
【符号の説明】
ＤＢ                扉側ベース部
ＫＢ                筐体側ベース部
Ｋ１                第１凹部
Ｋ２                第２凹部
ＫＫ                急傾斜面
Ｌ１                第１リンク
Ｌ２                第２リンク
Ｌ３                第３リンク
Ｌ４                第４リンク
Ｍ１                第１押圧部材
Ｍ２                第２押圧部材
ＳＰ                リンク収容凹部
ＴＢ                凸部
【図１】
0003922430.tif 000002
【図２】
0003922430.tif 000003
【図３】
0003922430.tif 000004
【図４】
0003922430.tif 000005
【図５】
0003922430.tif 000006
【図６】
0003922430.tif 000007